(57)【要約】【課題】切り欠かれた領域への近接検出を適切に行う。【解決手段】表示装置１は、外周の一部が切欠かれた形状の表示領域Ｓを有するものであって、複数の第１電極Ｔｘと、第１電極Ｔｘと対向して第１電極Ｔｘとの間に形成された電界により表示領域Ｓへの近接検出が可能なように構成される複数の第２電極Ｒｘと、配線Ｕと、を有する。一部の第１電極Ｔｘは、表示領域Ｓの切り欠かれた領域を占める切欠き領域Ｔの外周Ｔａに沿った形状であり、一部の第２電極Ｒｘは、第１部分電極ＲｘＡと、切欠き領域Ｔを挟んで第１部分電極ＲｘＡと離間して設けられた第２部分電極ＲｘＢと、を有する。配線Ｕは、切欠き領域Ｔの外周Ｔａに沿って延在して第１部分電極ＲｘＡと第２部分電極ＲｘＢとを接続し、第１電極Ｔｘとの間に形成された電界により切欠き領域Ｔへの近接検出が可能なように構成される。【選択図】図５
2019211933.tif 000002
【特許請求の範囲】
【請求項１】
外周の一部に凹部を有する表示領域を有する第１基板と、
前記表示領域内に設けられた複数の第１電極と、
前記第１電極と対向して前記表示領域内に設けられ、前記第１電極との間に形成された電界により前記表示領域への近接検出が可能なように構成される複数の第２電極と、
配線と、を有し、
複数の前記第１電極のうちの一部の前記第１電極は、前記表示領域の前記凹部の外周に沿った形状であり、
複数の前記第２電極のうちの一部の前記第２電極は、第１部分電極と、前記凹部を挟んで前記第１部分電極と離間して設けられた第２部分電極と、を有し、
前記配線は、前記凹部の外周に沿って延在して前記第１部分電極と第２部分電極とを接続し、前記第１電極との間に形成された電界により前記凹部への近接検出が可能なように構成される、
表示装置。
【請求項２】
前記配線は、前記表示領域の外側に設けられる、請求項１に記載の表示装置。
【請求項３】
前記第２電極は、複数の金属線によって構成されており、
前記配線の幅は、前記金属線の幅より大きい、請求項１又は請求項２に記載の表示装置。
【請求項４】
前記第１電極は、第１方向に延在し、前記第１方向と交差する第２方向に沿って並んでおり、
前記第２電極は、前記第２方向における両端の少なくとも一方に設けられた接続部と、前記接続部と接続され、前記接続部から前記第２方向に延在する検出部と、を有して、前記第１方向に並んでいる、請求項１から請求項３のいずれか１項に記載の表示装置。
【請求項５】
前記第１電極と前記第２電極との間の電界によって生じた第１電圧と、前記第１電極と前記配線との間の電界によって生じた第２電圧と、を検出する検出部をさらに有し、
前記検出部は、
１つの前記第１電極と１つの前記第２電極との間の前記第１電圧を、前記第１電極と前記第２電極との組み合わせのそれぞれについて検出し、検出したそれぞれの前記第１電圧に基づき、前記表示領域内で近接された箇所の座標を算出し、
前記第２電圧を検出した場合に、前記凹部の近接があったとの検出結果を出力する、請求項１から請求項４のいずれか１項に記載の表示装置。
【請求項６】
前記検出部は、
前記第１電圧と所定の基準値との差分が所定の閾値以上となる前記第１電極と前記第２電極との組み合わせを、近接電極対として検出し、検出した複数の近接電極対の間の距離と、それぞれの近接電極対の前記差分とに基づき、前記表示領域内で近接された箇所の座標を算出し、
前記第２電圧と所定の基準値との差分が所定の閾値以上となった場合に、前記凹部への近接があったと検出する、請求項５に記載の表示装置。
【請求項７】
前記検出部は、近接検出されたかの判断基準を、前記第１電圧と前記第２電圧とで異ならせる、請求項６に記載の表示装置。
【請求項８】
外周の一部が切欠かれた形状の表示領域を有する表示装置への近接を検出する近接検出方法であって、
前記表示装置は、
前記表示領域内に設けられた複数の第１電極と、前記第１電極と対向して前記表示領域内に設けられた複数の第２電極と、配線と、を有し、
複数の前記第１電極のうちの一部の前記第１電極は、前記表示領域の切り欠かれた領域を占める切欠き領域の外周に沿った形状であり、複数の前記第２電極のうちの一部の前記第２電極は、第１部分電極と、前記切欠き領域を挟んで前記第１部分電極と離間して設けられた第２部分電極と、を有し、前記配線は、前記切欠き領域の外周に沿って延在して前記第１部分電極と第２部分電極とを接続するよう構成されており、
前記第１電極と前記第２電極との間に形成された電界により前記表示領域への近接検出を行い、前記第１電極と前記配線との間に形成された電界により前記切欠き領域への近接検出を行う、近接検出方法。
【発明の詳細な説明】
【技術分野】
【０００１】
本発明は、表示装置及び近接検出方法に関する。
【背景技術】
【０００２】
スマートフォンなどの表示装置においては、例えば特許文献１に示すように、表示領域を切欠き（ノッチ）を設けた形状にする場合がある。このように切り欠かれた領域を設けることで、表示領域をできるだけ大きく保ちつつ、センサやカメラやボタンなどの各種機器が配置される領域を確保することができる。また、このような表示装置は、近接を検出可能なタッチパネルで構成される場合がある。
【先行技術文献】
【特許文献】
【０００３】
【特許文献１】国際公開第２０１４−１２６６６２号
【発明の概要】
【発明が解決しようとする課題】
【０００４】
このような切り欠かれた領域を有する表示装置において、表示領域への近接は、表示領域に設けられた電極により適切に検出できるが、切り欠かれた領域には電極が設けられないため、切り欠かれた領域への近接を適切に検出できないおそれがある。
【０００５】
本発明は、上記の課題に鑑みてなされたもので、切り欠かれた領域への近接検出を適切に行うことが可能な表示装置及び近接検出方法を提供することを目的とする。
【課題を解決するための手段】
【０００６】
本発明の一態様による表示装置は、外周の一部に凹部を有する表示領域を有する第１基板と、前記表示領域内に設けられた複数の第１電極と、前記第１電極と対向して前記表示領域内に設けられ、前記第１電極との間に形成された電界により前記表示領域への近接検出が可能なように構成される複数の第２電極と、配線と、を有し、複数の前記第１電極のうちの一部の前記第１電極は、前記表示領域の前記凹部の外周に沿った形状であり、複数の前記第２電極のうちの一部の前記第２電極は、第１部分電極と、前記凹部を挟んで前記第１部分電極と離間して設けられた第２部分電極と、を有し、前記配線は、前記凹部の外周に沿って延在して前記第１部分電極と第２部分電極とを接続し、前記第１電極との間に形成された電界により前記凹部への近接検出が可能なように構成される。
【０００７】
本発明の一態様による近接検出方法は、外周の一部が切欠かれた形状の表示領域を有する表示装置への近接を検出する近接検出方法であって、前記表示装置は、前記表示領域内に設けられた複数の第１電極と、前記第１電極と対向して前記表示領域内に設けられた複数の第２電極と、配線と、を有し、複数の前記第１電極のうちの一部の前記第１電極は、前記表示領域の切り欠かれた領域を占める切欠き領域の外周に沿った形状であり、複数の前記第２電極のうちの一部の前記第２電極は、第１部分電極と、前記切欠き領域を挟んで前記第１部分電極と離間して設けられた第２部分電極と、を有し、前記配線は、前記切欠き領域の外周に沿って延在して前記第１部分電極と第２部分電極とを接続するよう構成されており、前記第１電極と前記第２電極との間に形成された電界により前記表示領域への近接検出を行い、前記第１電極と前記配線との間に形成された電界により前記切欠き領域への近接検出を行う。
【図面の簡単な説明】
【０００８】
【図１】図１は、本実施形態に係る表示装置の構成例を示すブロック図である。
【図２】図２は、本実施形態に係る検出パネルの構成例を示す図である。
【図３】図３は、本実施形態に係る表示パネルの模式的な断面図である。
【図４】図４は、本実施形態に係る画素配列を表す回路図である。
【図５】図５は、本実施形態に係る表示装置の平面図である。
【図６】図６は、第２電極の構成の例を示す図である。
【図７】図７は、本実施形態に係る表示パネルの模式的な拡大図である。
【図８】図８は、本実施形態に係る検出部の模式的なブロック図である。
【図９】図９は、本実施形態に係るタッチ検出の一例を説明するためのタイミングチャートである。
【図１０】図１０は、タッチ検出箇所の座標計算の一例を示すグラフである。
【図１１】図１１は、タッチ検出について説明するフローチャートである。
【発明を実施するための形態】
【０００９】
以下に、本発明の各実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（表示装置の全体構成）
図１は、本実施形態に係る表示装置の構成例を示すブロック図である。図１を参照して、本実施形態に係る表示装置１の全体構成について説明する。また、図１で示される表示装置１は、タッチセンサを有する表示装置であり、言い換えると、タッチ検出機能を有する表示装置である。また、表示装置１は、表示画素として液晶表示画素を用いており、その液晶表示画素によって構成された液晶表示パネル２０と静電容量式の検出パネル３０とを一体化した、いわゆるインセルタイプの装置である。ここで、液晶表示パネル２０と検出パネル３０が一体化した装置とは、少なくとも、各パネルを構成する基板や電極などの一部の部材が兼用されている装置を示す。なお、本実施形態でのタッチとは、近接を指し、言い換えれば、指などの検出対象物が、表示装置１に離間しているが近づいている状態、又は、表示装置１に接触している状態の少なくとも一方を指す。
【００１１】
図１に示すように、本実施形態に係る表示装置１は、表示パネル１０と、制御部１１と、ゲートドライバ１２と、ソースドライバ１３と、電極ドライバ１４と、検出部４０と、を備える。制御部１１、ゲートドライバ１２、ソースドライバ１３、および、電極ドライバ１４は、液晶表示パネル２０に画像を表示させるための表示制御部として機能し、制御部１１、電極ドライバ１４、及び、検出部４０は、検出パネル３０にタッチ検出を行わせるための検出制御部として機能する。
【００１２】
表示パネル１０は、タッチセンサを内蔵した表示パネルであり、言い換えると、タッチ検出機能を内蔵した表示パネルである。この表示パネル１０は、液晶表示パネル２０と、検出パネル３０とを有する。
【００１３】
液晶表示パネル２０は、ゲートドライバ１２から出力される走査信号Ｖｓｃａｎに従って、１水平ラインずつ順次走査して表示を行うパネルである。検出パネル３０は、電極ドライバ１４から出力される検出駆動信号Ｖｃｏｍｔに従って、ブロックずつ順次走査してタッチ検出動作を行うパネルである。また、検出パネル３０は、後述する複数の第２電極Ｒｘから、検出信号Ｖｄｅｔを出力し、検出部４０に供給するようになっている。
【００１４】
制御部１１は、外部から入力した映像信号Ｖｄｉｓｐに基づいて、ゲートドライバ１２、ソースドライバ１３、電極ドライバ１４、及び検出部４０に対してそれぞれ制御信号を出力し、これらが互いに同期して動作するように制御する。
【００１５】
ゲートドライバ１２は、制御部１１から出力される制御信号に基づいて、表示パネル１０の液晶表示パネル２０の表示動作の対象となる１水平ラインを順次選択する機能を有する回路である。具体的には、ゲートドライバ１２は、走査信号線ＧＣＬを介して、走査信号Ｖｓｃａｎを、液晶表示パネル２０が有する画素ＰｉｘのＴＦＴ素子のゲートに印加することによって、液晶表示パネル２０にマトリクス状に形成されている画素Ｐｉｘのうちの１行（１水平ライン）を表示動作の対象として順次選択する。
【００１６】
ソースドライバ１３は、制御部１１から出力される制御信号に基づいて、表示パネル１０の液晶表示パネル２０の各画素Ｐｉｘに画素信号Ｖｐｉｘを出力する回路である。具体的には、ソースドライバ１３は、画素信号線ＳＧＬを介して画素信号Ｖｐｉｘを、ゲートドライバ１２によって順次選択される１水平ラインを構成する各画素Ｐｉｘにそれぞれ出力する。そして、１水平ラインを構成する各画素Ｐｉｘは、画素信号Ｖｐｉｘを入力することによって表示動作を実行する。
【００１７】
電極ドライバ１４は、制御部１１から出力される制御信号に基づいて、表示パネル１０の第１電極Ｔｘに駆動信号Ｖｃｏｍを出力する回路である。駆動信号Ｖｏｍは、検出動作時に第１電極Ｔｘに出力される検出駆動信号Ｖｃｏｍｔと、表示動作時に第１電極Ｔｘに出力される表示駆動信号Ｖｃｏｍｄを含む。
【００１８】
検出部４０は、制御部１１から出力される制御信号、及び検出パネル３０の第２電極Ｒｘから出力される検出信号Ｖｄｅｔに基づいて、タッチ検出期間において、検出パネル３０に対して検出対象物（指又はスタイラス等）がタッチされたか、すなわち接触又は近づいたか否かを検出する。また、検出部４０は、検出対象物が接触又は近づいたか検出（以下、単にタッチ検出と言う）された場合において、タッチ検出された領域におけるシグナル値（電圧値）、及び、検出対象物によってタッチされたとみなす座標を求める回路である。検出部４０の詳細については後述する。
【００１９】
（検出パネルの構成）
図２は、検出パネル３０の動作を説明するための図である。検出パネル３０は、静電容量式のタッチセンサであり、第１電極Ｔｘと第２電極Ｒｘを有する。第１電極Ｔｘと第２電極Ｒｘとは、誘電体Ｄを挟んで互いに対向配置され、容量素子Ｃ１を形成する。第１電極Ｔｘは、電極ドライバ１４から検出駆動信号Ｖｃｏｍｔが供給される。検出駆動信号Ｖｃｏｍｔは、所定の周波数（例えば、数ｋＨｚ〜数百ｋＨｚ程度の周波数）の交流矩形波である。第２電極Ｒｘは、検出部４０に接続されている。検出部４０は、電圧検出部ＤＥＴを含み、電圧検出器ＤＥＴは、例えば、後述する検出部４０の信号増幅部４２（図８参照）に含まれる積分回路である。電圧検出器ＤＥＴは、検出駆動信号Ｖｃｏｍｔに応じた電流の変動を電圧の変動に変換する。また、検出部４０は、検出対象物（指又はスタイラス等）が形成する容量素子Ｃ２によって生じる変動に基づいて、検出対象部の接触又は近接を判定する。
【００２０】
なお、電圧検出器ＤＥＴは、基準電圧に対する電圧の変動値を示す差分値｜ΔＶ｜を精度よく検出するため、スイッチング素子によって、検出駆動信号Ｖｃｏｍｔの周波数に合わせて、コンデンサに蓄えられた電荷を放電する期間Ｒｅｓｅｔを設けた動作とすることがより好ましい。なお、基準電圧とは、検出対象物による変動を受ける前の電圧検出器ＤＥＴから出力される電圧値を示す。
【００２１】
そして、後述する検出部４０のＡＤ変換部４３（図８参照）は、適正なタイミングで、信号増幅部４２から出力される差分値｜ΔＶ｜のアナログ信号をそれぞれサンプリングしてデジタル信号に変換する。後述する検出部４０の信号処理部４４（図８参照）は、ＡＤ変換部４３から出力された差分値｜ΔＶ｜のデータ（デジタル信号）を平均化する演算を行い、例えば、差分値｜ΔＶ｜の平均値を算出する。これによって、信号処理部４４は、差分値｜ΔＶ｜についてノイズによる影響を低減することができる。そして、信号処理部４４は、算出した差分値｜ΔＶ｜の平均値を所定の閾値Ｖｔｈと比較し、この閾値Ｖｔｈ以上であれば、検出対象物がタッチ（近接）している状態と判定し、閾値Ｖｔｈ未満であれば、検出対象物がタッチ（近接）していない状態と判定する。このようにして、タッチ検出動作が可能となる。
【００２２】
（表示パネルの構造）
次に、表示パネル１０の詳細な構造について説明する。図３は、本実施形態に係る表示パネルの模式的な断面図である。図４は、本実施形態に係る画素配列を表す回路図である。なお、以下の説明においては、ＸＹＺ直交座標系を設定し、ＸＹＺ直交座標系を参照しつつ各部材の位置関係について説明する。表示パネル１０の表示平面における１つの方向である第２方向をＸ軸方向、表示平面において第２方向と直交する第１方向をＹ軸方向、Ｘ軸方向及びＹ軸方向のそれぞれに直交する第３方向（すなわち、Ｘ−Ｙ平面に垂直な方向）をＺ軸方向とする。本明細書において、平面視とは、Ｘ軸とＹ軸とに平行なＸ−Ｙ平面の法線方向から見ることを意味する。本明細書において、上側とはＹ軸方向を示す矢印の先端側を意味し、下側とはＹ軸方向を示す矢印の末端側を意味し、右側とはＸ軸方向を示す矢印の先端側を意味し、左側とはＸ軸方向を示す矢印の末端側を意味する。また、表側とは、Ｚ軸方向を示す矢印の先端側を意味し、裏側とは、Ｚ軸方向を示す矢印の末端側を意味する。
【００２３】
図３に示すように、表示パネル１０は、第１基板ＳＵＢ１と、第１基板ＳＵＢ１と対向する位置に設けられた第２基板ＳＵＢ２と、を備える。表示パネル１０は、第１基板ＳＵＢ１と第２基板ＳＵＢ２との間に液晶層ＬＣが設けられている。第１基板ＳＵＢ１は、例えばＴＦＴ（Ｔｈｉｎ  Ｆｉｌｍ  Ｔｒａｎｓｉｓｔｏｒ）基板である。第２基板ＳＵＢ２は、対向基板である。
【００２４】
なお、表示パネル１０には、第１基板ＳＵＢ１、第２基板ＳＵＢ２の他にも、第１基板ＳＵＢ１の裏側に配置され、第１基板ＳＵＢから光を照射するバックライト等の照明装置や、その他の付帯機器が必要に応じて付設されるが、図５ではそれらの図示を省略している。また、本実施形態において、表示パネル１０はタッチセンサを有する液晶パネルに限定されるものではない。例えば、表示パネル１０は、タッチセンサを有する有機ＥＬ（Ｅｌｅｃｔｒｏ  Ｌｕｍｉｎｅｓｃｅｎｃｅ）パネルであってもよい。言い換えると、表示装置１は、液晶表示パネル２０の代わりに、有機発光素子、または、無機発光素子が配置されたＥＬ表示パネル２０Ａを配置してもよいし、電気泳動素子を配置した電気泳動表示パネル２０Ｂを配置してもよい。
【００２５】
第１基板ＳＵＢ１は、基板２１、絶縁膜２２Ａ、絶縁膜２２Ｂ、第１電極Ｔｘ、絶縁膜２２Ｃ、配向膜２４、及び画素電極ＰＥが、Ｚ軸方向に向かってこの順で積層されている。基板２１は絶縁性基板であって、例えばガラス基板、樹脂基板、又は樹脂フィルムである。絶縁膜２２Ａは、基板２１上に位置している。図３では図示しない走査信号線ＧＣＬやスイッチング素子Ｔｒなどは、基板２１と絶縁膜２２Ａとの間に位置している。絶縁膜２２Ｂは、絶縁膜２２Ａ上に設けられており、絶縁膜２２Ａと絶縁膜２２Ｂとの間には、例えば画素信号線ＳＧＬが設けられている。
【００２６】
第１電極Ｔｘは、絶縁膜２２Ｂ上に設けられている。第１電極Ｔｘは、画素電極ＰＥとの間に電界を形成して、液晶層ＬＣ内の液晶素子ＬＣ１を駆動する共通電極である。さらに、第１電極Ｔｘは、後述の第２電極Ｒｘとの間に電界を形成して、検出対象物のタッチ検出を行う駆動電極としても機能する。
【００２７】
絶縁膜２２Ｃは、第１電極Ｔｘ上に設けられる。絶縁膜２２Ｃと第１電極Ｔｘとの間であって、画素信号線ＳＧＬと重畳する箇所には、金属層Ｍが設けられている。金属層Ｍは、画素信号線ＳＧＬの直上において第１電極Ｔｘに接触している。金属層Ｍは、図３では、第１電極Ｔｘの上に位置しているが、第１電極Ｔｘと絶縁膜２２Ｂとの間に位置していてもよい。絶縁膜２２Ｃは、第１電極Ｔｘ上に設けられている。画素電極ＰＥは、絶縁膜２２Ｃ上に位置している。画素電極ＰＥは、絶縁膜２２Ｃを介して共通電極ＣＥと対向している。画素電極ＰＥは、図４に示す画素Ｐｉｘを構成する。配向膜２４は、画素電極ＰＥ及び絶縁膜２２Ｃを覆っている。なお、画素信号線ＳＧＬ、走査信号線ＧＣＬ、及び、金属層Ｍは、モリブデン、タングステン、チタン、アルミニウムなどの金属材料によって形成され、単層構造であってもよいし、多層構造であってもよい。第１電極Ｔｘ及び画素電極ＰＥは、ＩＴＯ（Ｉｎｄｉｕｍ  Ｔｉｎ  Ｏｘｉｄｅ）などの透光性を有する導電材料によって形成されている。絶縁膜２２Ａ、２２Ｃは、例えば無機絶縁膜であり、絶縁膜２２Ｂは、例えば有機絶縁膜である。なお、金属層Ｍは無くてもよい。
【００２８】
このように、表示パネル１０は、ＩＰＳ方式と言われる横電界方式の表示パネルである。ただし、表示パネル１０は、横電界方式に限られず、例えば、ＴＮ方式、ＶＡ方式と言われる縦電界方式の表示パネルであってもよい。この場合、例えば、画素電極ＰＥが液晶層と基板２１との間に配置され、第１電極Ｔｘが、液晶層と基板３１との間に配置される。すなわち、第１電極Ｔｘと画素電極ＰＥとの重畳の仕方は任意であり、第１電極Ｔｘと画素電極ＰＥとの間の電界で液晶層ＬＣ内の液晶素子ＬＣ１を駆動可能であればよい。なお、本実施形態において、第１電極Ｔｘの上に画素電極ＰＥが配置されているが、第１電極Ｔｘが絶縁層２２Ｂの上に配置され、絶縁層２２Ｃの上に画素電極ＰＥが配置されてもよい。
【００２９】
第２基板ＳＵＢ２は、第２電極Ｒｘ、基板３１、遮光層ＢＭ、カラーフィルタＣＦ、オーバーコート層ＯＣ、及び配向膜３２が、Ｚ軸方向と反対側（裏側）に向けてこの順で積層されている。基板３１は、絶縁性基板であって、例えばガラス基板、樹脂基板、又は、樹脂フィルムである。遮光層ＢＭ及びカラーフィルタＣＦは、基板３１のＺ軸方向と反対側（下側）に設けられている。カラーフィルタＣＦは、画素電極ＰＥと対向し、その一部が遮光層ＢＭに重なっている。カラーフィルタＣＦは、第１色（赤色）カラーフィルタ、第２色（緑色）カラーフィルタ、第３色（青色）カラーフィルタなどを含む。オーバーコート層ＯＣは、カラーフィルタＣＦを覆っている。配向膜３２は、オーバーコート層ＯＣを覆っている。なお、カラーフィルタＣＦは、第１基板ＳＵＢ１に配置されてもよい。カラーフィルタＣＦは、４色以上のカラーフィルタを含んでいてもよい。白色を表示する画素には、白色のカラーフィルタが配置されてもよいし、無着色の樹脂材料が配置されてもよいし、カラーフィルタを配置せずにオーバーコート層ＯＣを配置してもよい。第２基板ＳＵＢ２の配向膜３２と第１基板ＳＵＢ１の配向膜２４との間には、液晶層ＬＣが設けられている。
【００３０】
第２電極Ｒｘは、基板３１のＺ軸方向側（表側）に設けられている。第２電極Ｒｘは、第１電極Ｔｘとの間に形成された電界によりタッチ検出が可能な検出電極である。第２電極ＲｘのＺ軸方向側（表側）には、偏光板３４が設けられている。
【００３１】
第１基板ＳＵＢ１において第２基板ＳＵＢ２と対向する領域には、複数の配線が配置される。複数の配線には、例えば、図４に示す通り、Ｙ軸方向に延在する画素信号線ＳＧＬや、Ｚ軸方向に延在する走査信号線ＧＣＬを含む。第１基板ＳＵＢ１において、画素信号線ＳＧＬと走査信号線ＧＣＬとが交差する部分が表示の最小単位、すなわち、図４に示す画素Ｐｉｘ（副画素）に対応している。その副画素が複数個、マトリクス状に配列することによって全体の表示領域Ｓが形成されている。また、画素Ｐｉｘはスイッチ素子Ｔｒを有する。スイッチ素子Ｔｒは、例えば、薄膜トランジスタ（ＴＦＴ）であり、スイッチ素子Ｔｒのゲートが走査信号線ＧＣＬと接続されており、スイッチ素子Ｔｒのソースまたはドレインの一方が画素信号線ＳＧＬと接続されている。表示素子である液晶素子ＬＣ１は、画素電極ＰＥと第１電極Ｔｘからなり、スイッチ素子Ｔｒのソースまたはドレインの他方は、画素電極ＰＥと接続されている。
【００３２】
次に、図５は、本実施形態に係る表示装置の平面図である。図５に示すように、表示パネル１０は、表示領域Ｓと切欠き領域Ｔとを有している。表示領域Ｓは、画像を表示する領域である。表示領域Ｓは、第１電極Ｔｘと第２電極ＲｘとがＺ軸方向に沿って重畳されているＸ−Ｙ平面における領域であるとも言える。図５に示すように、表示領域Ｓは、平面視で４つの辺を有する略矩形状となっており、さらに言えば、矩形の４つの角が曲線状（Ｒ状）となった形状となっている。より詳しくは、表示領域Ｓは、上側（Ｙ軸方向側）の辺Ｓ１の一部の区間において、下側（Ｙ軸方向と反対側）に切り欠かれている。言い換えれば、表示領域Ｓは、外周の一部の区間において、表示領域Ｓの外周から表示領域ＳのＸ軸方向またはＹ軸方向の少なくとも一方の中心に向かう方向（中心方向）に窪んだ凹部を有する。なお、本明細書において、切欠き若しくは切り欠くとは、単に、凹部形状若しくは凹部形状にすることを示しており、製造方法を限定するものではない。
【００３３】
図５に示すように、切欠き領域Ｔは、表示パネル１０の平面視における領域のうち表示領域Ｓ以外を占める領域であり、第１電極Ｔｘと第２電極ＲｘとがＺ軸方向に沿って重畳されていない領域である。従って、切欠き領域Ｔは、画像を表示しない領域となる。切欠き領域Ｔは、表示領域Ｓの切り欠かれた領域、すなわち凹部を占める。従って、切欠き領域Ｔは、表示領域Ｓの切り欠かれた辺Ｓ１よりも下側（中心方向側）に入り込んだ領域であり、表示領域Ｓ内に入り込んだ領域であるとも言える。表示領域Ｓの切り欠かれた部分、すなわち、切欠き領域Ｔは、ノッチとも呼ばれる。
【００３４】
なお、表示領域Ｓは、図５の例では、辺Ｓ１側が切り欠かれており、切欠き領域Ｔは辺Ｓ１から表示領域Ｓ内に入り込んでいるが、表示領域Ｓの切り欠かれる位置は、これに限られず任意である。表示領域Ｓは、外周の一部の区間において、中心方向側に切り欠かれた形状であればよく、切欠き領域Ｔは、この切り欠かれた領域を占めるものであればよい。また、表示領域Ｓの切り欠く形状、すなわち切欠き領域Ｔの形状は、任意である。また、表示領域Ｓは、４つの角が曲線状の略矩形形状であったが、切り欠かれた箇所を有するものであれば、略矩形形状に限られず任意の形状になっていてよい。
【００３５】
さらに、表示パネル１０は、第１基板ＳＵＢ１の外縁と表示領域Ｓとの間に、周辺領域Ｖを有している。周辺領域Ｖは、切欠き領域Ｔと同様に、第１電極Ｔｘと第２電極ＲｘとがＺ軸方向に沿って重畳されていない領域であり、画像を表示しない領域である。また、周辺領域Ｖは、第１基板ＳＵＢ１と第２基板ＳＵＢ２が重畳しない領域である端子部１Ｅを有する。
【００３６】
上述のように、表示領域Ｓは、第１電極Ｔｘと第２電極Ｒｘとが重畳された領域である。従って、第１電極Ｔｘと第２電極Ｒｘとは、表示領域Ｓ内に設けられており、表示領域Ｓの外周に沿った形状となっている。また、第１基板ＳＵＢ１と第２基板ＳＵＢ２とは、第１電極Ｔｘと第２電極Ｒｘとが設けられた基板であり、表示領域Ｓの外周に沿った形状となっている。すなわち、第１基板ＳＵＢ１と第２基板ＳＵＢ２とは、表示領域Ｓと同様に、外周の一部の区間に中心方向側への切欠きを有しており、この切り欠きが切欠き領域Ｔに相当すると言える。以下、第１電極Ｔｘと第２電極Ｒｘとの形状について説明する。
【００３７】
図５に示すように、第１電極Ｔｘは、表示領域Ｓの上側の辺から下側の辺まで、Ｙ軸方向に沿って延在している。そして、第１電極Ｔｘは、複数設けられており、複数がＸ軸方向に沿って並んでいる。本実施形態の例では、第１電極Ｔｘは、第１電極Ｔｘ１からＴｘ１６まで、Ｘ軸方向に沿って１６個設けられている。ただし、第１電極Ｔｘは、複数であればその数は任意である。
【００３８】
第１電極Ｔｘは、表示領域Ｓの外周に沿うような形状となっている。従って、Ｘ軸方向に沿った両端側の第１電極Ｔｘ１、Ｔｘ１６は、Ｙ軸方向における両端部の外周の一部がが、表示領域Ｓの角の曲線（Ｒ部分）に合わせて、曲線状となっている。なお、図５の例では、表示領域Ｓの角の曲線部分は、複数の第１電極Ｔｘにわたっている。従って、図５の例では、Ｘ軸方向に沿った両端側から見て複数の第１電極Ｔｘ（第１電極Ｔｘ１からＴｘ３、Ｔｘ１４からＴｘ１６）の外周の一部が、表示領域Ｓの角の曲線に合わせて、曲線状となっている。
【００３９】
また、複数の第１電極Ｔｘのうちの一部の第１電極Ｔｘは、表示領域Ｓの切り欠かれた部分の周辺、すなわち切欠き領域Ｔの周辺にも設けられている。切欠き領域Ｔの周辺の第１電極Ｔｘは、外周が、表示領域Ｓの切り欠かれた部分（凹部）における外周、すなわち切欠き領域Ｔの外周Ｔａに沿っている。言い換えれば、切欠き領域Ｔの周辺の第１電極Ｔｘは、切欠き領域Ｔの外周に沿った形状となっている。図５の例では、第１電極Ｔｘ８は、右側の外周の一部が、表示領域Ｓの切り欠かれた部分（凹部）の外周に沿って形成される。言い換えれば、第１電極Ｔｘ８は、右側の外周の一部が、切欠き領域Ｔの外周Ｔａに、沿っている。また、第１電極Ｔｘ９からＴｘ１１は、上側の外周の一部が、表示領域Ｓの切り欠かれた部分における上側の外周に沿って形成される。言い換えれば、第１電極Ｔｘ９からＴｘ１１は、上側の外周の一部が、切欠き領域Ｔの下側の外周Ｔａに、沿っている。また、第１電極Ｔｘ１２は、左側の外周が、表示領域Ｓの切り欠かれた部分（凹部）の外周に沿って形成される。言い換えれば、第１電極Ｔｘ１２は、左側の外周が、切欠き領域Ｔの外周Ｔａに、沿っている。なお、切欠き領域Ｔの周辺の第１電極Ｔｘとは、Ｘ軸方向における位置が、切欠き領域ＴのＸ軸方向における位置と重なる第１電極Ｔｘを指す。すなわち、切欠き領域ＴがＸ軸方向における中央にある場合、Ｘ軸方向における中央にある第１電極Ｔｘが、切欠き領域Ｔの周辺の第１電極Ｔｘであると言える。図５の例では、切欠き領域Ｔの周辺の第１電極Ｔｘは、中央の５つであるが、切欠き領域ＴがＸ軸方向に占める位置や大きさによっては、位置や数が異なることとなる。例えば、切欠き領域Ｔの周辺の第１電極Ｔｘは、１つとなってもよい。
【００４０】
このように、第１電極Ｔｘは、設けられた位置によって、形状が異なる。例えば、Ｘ軸方向に沿った両端側の第１電極Ｔｘは、表示領域Ｓの角の曲線に合わせて曲線状の部分を含む形状となっており、切欠き領域Ｔの周辺の第１電極Ｔｘは、切欠き領域Ｔの外周Ｔａに沿った部分を含む形状となり、その他の第１電極Ｔｘは、矩形状となっている。
【００４１】
図５に示すように、第２電極Ｒｘは、表示領域Ｓの左側の辺から右側の辺まで、Ｘ軸方向に沿って延在している。そして、第２電極Ｒｘは、複数設けられており、複数がＹ軸方向に沿って並んでいる。本実施形態の例では、第２電極Ｒｘは、第２電極Ｒｘ１からＲｘ８まで、Ｙ軸方向に沿って８個設けられている。ただし、第２電極Ｒｘは、複数であればその数は任意である。
【００４２】
第２電極Ｒｘは、検出部ＲＡと、接続部ＲＢとを有する。検出部ＲＡはＸ軸方向に延在しており、Ｙ軸方向に複数配列されている。接続部ＲＢは、第２電極ＲｘのＸ軸方向における両端部であり、言い換えれば、第２電極Ｒｘの右側の端部と、左側の端部とである。接続部ＲＢは、Ｙ軸方向に隣接する検出部ＲＡ同士を接続する。すなわち、第２電極Ｒｘは、Ｙ軸方向に並ぶ２つの検出部ＲＡが、Ｘ軸方向における両端の接続部ＲＢで接続された構成となっている。なお、接続部ＲＢは、Ｙ軸方向に沿って、隣接する２つの検出部ＲＢを接続しているが、これに限らず、３つ以上の検出部ＲＡを接続してもよい。また、接続部ＲＢは、第２電極Ｒｘの右側および左側の一方の端部にのみ形成されてもよい。
【００４３】
また、複数の第２電極Ｒｘのうち、Ｙ軸方向における両端側に位置する第２電極Ｒｘ１、Ｒｘ８は、Ｘ軸方向における両端部の外周が、表示領域Ｓの角の曲線に合わせて、曲線状となっている。すなわち、第２電極Ｒｘ１、Ｒｘ８は、Ｘ軸方向における両端部にある接続部ＲＢの外周が、表示領域Ｓの角の曲線に合わせて、曲線状となっている。
【００４４】
また、複数の第２電極Ｒｘのうちの一部の第２電極Ｒｘは、表示領域Ｓの切り欠かれた部分、すなわち切欠き領域Ｔの周辺にも設けられている。切欠き領域Ｔの周辺の第２電極Ｒｘ（図５では第２電極Ｒｘ１）は、切欠き領域Ｔを隔てて２つの部分電極を有する。すなわち、切欠き領域Ｔの周辺の第２電極Ｒｘは、第１部分電極ＲｘＡと、第２部分電極ＲｘＢとを有する。第１部分電極ＲｘＡは、切欠き領域Ｔに対して一方側（左側）に配置される部分電極である。第２部分電極ＲｘＢは、切欠き領域Ｔに対して他方側（右側）に位置する部分電極である。第１部分電極ＲｘＡと第２部分電極ＲｘＢとは、切欠き領域Ｔを挟んで互いに離間している。言い換えれば、第１部分電極ＲｘＡと第２部分電極ＲｘＢとは、切欠き領域Ｔを挟む（囲う）ように配置されている。さらに言えば、第１部分電極ＲｘＡは、左側の接続部ＲＢと、その接続部ＲＡから右側に延在する２つの第１部分検出部ＲＡ１とを有する。第２部分電極ＲｘＢは、右側の接続部ＲＢと、その接続部ＲＢから左側に延在する２つの第２部分検出部ＲＡ２とを有する。第１部分検出部ＲＡ１の右側の端部と、第２部分検出部ＲＡ２の左側の端部とは、切欠き領域Ｔを隔てて互いに対向している。第１部分電極ＲｘＡと第２部分電極ＲｘＢは配線Ｕを介して互いに接続されている。配線Ｕは、切欠き領域Ｔに沿って配置される。
【００４５】
このように、切欠き領域Ｔの周辺の第２電極Ｒｘは、切欠き領域Ｔを隔てて対向する第１部分電極ＲｘＡと第２部分電極ＲｘＢとを有する。なお、切欠き領域Ｔの周辺の第２電極Ｒｘとは、Ｙ軸方向における位置が、切欠き領域ＴのＹ軸方向における位置に重畳する第２電極Ｒｘを指す。すなわち、図５の例では、切欠き領域Ｔは、Ｙ軸方向に向けて、第２電極Ｒｘの１つ分の領域までしか延在していないため、第２電極Ｒｘ１のみが、切欠き領域Ｔの周辺の第２電極Ｒｘとなる。ただし、例えば切欠き領域ＴがＹ軸方向に向けて第２電極Ｒｘの複数個分の領域まで延在している場合、切欠き領域Ｔの周辺の第２電極Ｒｘ、すなわち第１部分電極ＲｘＡと第２部分電極ＲｘＢとを有する第２電極Ｒｘは、複数となる。
【００４６】
第１基板ＳＵＢ１は、Ｙ軸方向の下側の端部（端子部１Ｅ）において、第３基板ＳＵＢ３と接続される。第３基板ＳＵＢ３は、ドライバＩＣ（Ｉｎｔｅｇｒａｔｅｄ  Ｃｉｒｃｕｉｔ）であるＩＣ１９が配置されている。ＩＣ１９は、電極ドライバ１４および制御部１１を含む。第１電極Ｔｘは、第１基板ＳＵＢ１上を延びる第１配線Ｗ１、及び、第３基板ＳＵＢ３上の配線Ｗ１ａを介して、ＩＣ１９と接続されている。すなわち、図５の例では、図示の便宜上、第１配線Ｗ１と配線Ｗ１ａとの接続は省略されているが、実際には第１配線Ｗ１と配線Ｗ１ａとは、接続されている。なお、ＩＣ１９は、第３基板ＳＵＢ３上に配置されるが、第１基板ＳＵＢ１上に配置されてもよい。また、ゲートドライバ１２、ソースドライバ１３は第１基板ＳＵＢ１上に配置され、電極ドライバ１４はＩＣ１９に内蔵されているが、これに限らず、ゲートドライバ１２およびソースドライバ１３の少なくとも一方がＩＣ１９に内蔵されてもよく、電極ドライバ１４が第１基板ＳＵＢ１上に配置されてもよい。
【００４７】
第２基板ＳＵＢ２は、Ｙ軸方向の下側の端部において、第４基板ＳＵＢ４と接続される。第４基板ＳＵＢ４は、第３基板ＳＵＢ３と接続されており、タッチＩＣであるＩＣ２９が配置されている。ＩＣ２９は、検出部４０を含む。第２電極Ｒｘは、第２基板ＳＵＢ２の周辺領域Ｖに配置された第２配線Ｗ２、第３基板ＳＵＢ３上の配線を介して、ＩＣ２９と接続されている。また、第２電極Ｒｘは、第２配線Ｗ２、第３基板ＳＵＢ３上の配線、第４基板ＳＵＢ４上の配線を介して、ＩＣ１９と接続されている。第２配線Ｗ２は、第２基板ＳＵＢ２のＸ軸方向の両端に配置され、Ｙ軸方向に延在している。
【００４８】
なお、第２配線Ｗ２は、第２基板ＳＵＢ２のＸ軸方向の一方の端部にのみ配置されてもよい。また、第２配線Ｗ２は、第２電極ＲｘのＸ軸方向の一方の端部とのみ接続されていてもよい。更に、第２配線Ｗ２は、隣接する第２電極Ｒｘにおいて、一方の第２電極ＲｘのＸ軸方向の一方の端部と接続され、他方の第２電極ＲｘのＸ軸方向の他方の端部と接続されるように、第２電極ＲｘのＸ軸方向における一方の端部と他方の端部とで交互に接続されてもよい。
【００４９】
第２基板ＳＵＢ２は、第２基板ＳＵＢ２の外周に沿って配置される第３配線Ｗ３を有する。第３配線Ｗ３は、第２基板ＳＵＢ２の外周と、第２基板ＳＵＢ２の外周に最も近い第２配線Ｗ２との間に位置する。また、第３配線Ｗ３は、切欠き領域Ｔを隔てて第１部分配線Ｗ３Ａと、第２部分配線Ｗ３Ｂを有する。第１部分配線Ｗ３Ａは、切欠き領域Ｔに対して一方側（左側）に配置され、第２部分配線Ｗ３Ｂは、切り欠け領域Ｔに対して他方側（右側）に配置される。第１部分配線Ｗ３Ａおよび第２部分配線Ｗ３Ｂは、配線ＵＡを介して接続される。なお、第３配線Ｗ３は、少なくとも第２基板ＳＵＢ２の３辺に沿って連続して形成されているが、一つの辺において、２つの部分配線に分断するようにスリットを有してもよい。
【００５０】
第３配線Ｗ３は、固定電位と接続されており、外部からのＥＳＤ（Ｅｌｅｃｔｒｏｓｔａｔｉｃ  Ｄｉｓｃｈａｒｇｅ）、すなわち静電放電から保護するために配置される。第３配線Ｗ３は、第２電極Ｒｘと同程度の電位に維持される。また、第３配線Ｗ３は、基準電位（グランド電位）より第２電極Ｒｘに与えられる電位に近い電位が供給される。例えば、第３配線Ｗ３は、１．８Ｖの固定電位が供給され、第２電極Ｒｘには１．５Ｖの電位が供給される。
【００５１】
図６は、第２電極の構成の例を示す図である。図６に示すように、第２電極Ｒｘは、複数の金属線ＭＴによって構成される。金属線ＭＴは、例えば図７に示されるＺ方向から見た幅Ｌ１（外径）が１μｍ以上１０μｍ以下、例えば５μｍ前後の細い金属製の線である。金属線ＭＴの材料は、例えば、アルミニウム、アルミニウム合金、銅、銅合金等のいずれかである。なお、金属層ＭＴは、単層でも複数層でもよい。第２電極Ｒｘは、複数の金属線ＭＴがメッシュ状に組み合わさることで、言い換えれば複数の金属線ＭＴが交錯することで、帯状に形成されている。また、第２電極Ｒｘは、金属線ＭＴが途切れることなく連続して延在することで、各位置が電気的に接続された状態となる。さらに言えば、第２電極Ｒｘは、検出部ＲＡと接続部ＲＢとにおいて、金属線ＭＴが途切れることなく連続して延在することで、検出部ＲＡと接続部ＲＢとが電気的に接続されている。なお、第２電極Ｒｘは、金属線ＭＴによって構成されていれば、金属線ＭＴがメッシュ状に組み合わさっている構成に限られない。例えば、第２電極Ｒｘは、波状の金属線ＭＴが複数延在する構成であってもよい。
【００５２】
また、図６に示すように、隣り合う第２電極Ｒｘ同士の間と、第２電極Ｒｘにおける検出部ＲＡ同士の間とは、ダミー電極ＲＤが設けられている。ダミー電極ＲＤは、第２電極Ｒｘと同様に、金属線ＭＴによって構成されている。ただし、ダミー電極ＲＤは、金属線ＭＴが連続せず途切れていることで、第２電極Ｒｘ同士を電気的に非接続とし、また、検出部ＲＡ同士を電気的に非接続とする。第２電極Ｒｘとダミー電極ＲＤとは、例えば一体として製造される。すなわち、金属線ＭＴがメッシュ状に連続して構成された帯状の部材を準備し、ダミー電極ＲＤとなる領域を、金属線ＭＴが途切れるように加工し、第２電極Ｒｘとなる領域の金属線ＭＴを加工しないことで、ダミー電極ＲＤと第２電極Ｒｘとが製造可能である。ただし、第２電極Ｒｘとダミー電極ＲＤとの製造方法は、それに限られず任意である。また、ダミー電極ＲＤは、必ずしも設けられていなくてもよい。
【００５３】
第１電極Ｔｘと第２電極Ｒｘとは、以上のように構成される。上述のように、切欠き領域Ｔ側の第２電極Ｒｘは、第１部分電極ＲｘＡと第２部分電極ＲｘＢとを有するが、第１部分電極ＲｘＡと第２部分電極ＲｘＢとは、配線Ｕで互いに接続されている。以下、配線Ｕについて説明する。
【００５４】
図７は、本実施形態に係る表示パネルの模式的な拡大図である。図７は、表示パネル１０の切欠き領域Ｔの近傍における模式的な拡大図である。配線Ｕを説明するために、まず、切欠き領域Ｔの近傍の形状について説明する。なお、図７においては、第２電極Ｒｘ同士の間に設けられたダミー電極ＲＤの記載は省略している。上述のように、切欠き領域Ｔの周辺の第１電極Ｔｘ（第１電極Ｔｘ８からＴｘ１２）は、外周が切欠き領域Ｔの外周Ｔａに沿った形状となっており、方向Ｘに沿って並んでいる。また、切欠き領域Ｔの周辺の第２電極Ｒｘ（第２電極Ｒｘ１）は、切欠き領域Ｔを隔てて対向する第１部分電極ＲｘＡと第２部分電極ＲｘＢとを有する。
【００５５】
上述のように、表示領域Ｓは、第１電極Ｔｘと第２電極Ｒｘとが重畳する領域である。従って、図７において、表示領域Ｓは、第１電極Ｔｘの外周（外縁）に沿った領域、すなわち図７において最外の破線で囲まれた領域となっている。また、本実施形態において、第１基板ＳＵＢ１と第２基板ＳＵＢ２との外周（外縁）は、第１電極Ｔｘ及び第２電極Ｒｘの外周よりも、すなわち表示領域Ｓの外周よりも、表示領域Ｓの中心から見て離れた位置に位置する。言い換えると、第１基板ＳＵＢ１と第２基板ＳＵＢ２との外周と表示領域Ｓの外周との間には周辺領域Ｖが配置される。また、切欠き領域Ｔは、上述のように、第１電極Ｔｘと第２電極ＲｘとがＺ軸方向に沿って重畳されていない領域であり、第１基板ＳＵＢ１と第２基板ＳＵＢ２とが切り欠かれた領域を占める領域であるとも言える。すなわち、切欠き領域Ｔの外周Ｔａは、第１基板ＳＵＢ１と第２基板ＳＵＢ２との外周に重なり、切欠き領域Ｔは、図７においては、実線で囲まれた半円状の領域となっている。すなわち、切欠き領域Ｔは、第１基板ＳＵＢ１と第２基板ＳＵＢ２との切り欠かれた外周には接しているが、表示領域Ｓには接していないと言える。言い換えれば、周辺領域Ｖは、表示領域Ｓと切欠き領域Ｔとの間に配置される領域ＡＲを含む。領域ＡＲは、第１基板ＳＵＢ１と第２基板ＳＵＢ２とが重畳する領域のうち、第１電極Ｔｘと第２電極Ｒｘとが重畳しない領域であり、さらに言えば、第１電極Ｔｘと第２電極Ｒｘとが重畳する領域の外側の領域であると言える。言い換えれば、領域ＡＲは、表示領域Ｓの外側であって、第１基板ＳＵＢ１及び第２基板ＳＵＢ２の内側の領域であると言える。ただし、図７に示す切欠き領域Ｔと領域ＡＲとを含んだ領域を、切欠き領域としてもよい。
【００５６】
配線Ｕは、この領域ＡＲ内を、切欠き領域Ｔの外周に沿って延在して、第１部分電極ＲｘＡと第２部分電極ＲｘＢとを接続する配線である。すなわち、配線Ｕは、表示領域Ｓの外側に設けられており、さらに言えば、表示領域Ｓと切欠き領域Ｔとの間に設けられている。より詳しくは、第１部分検出部ＲＡ１の右側の端部を、端部ＲＡ１ａとし、第２部分検出部ＲＡ２の左側の端部を、端部ＲＡ２ａとする。この場合、配線Ｕは、一方の端部が、上側（Ｙ軸方向側）の第１部分検出部ＲＡ１の端部ＲＡ１ａに接続され、下側の第１部分検出部ＲＡ１の端部ＲＡ１ａと下側の第２部分検出部ＲＡ２の端部ＲＡ２ａとに接続されるように、切欠き領域Ｔの外周Ｔａに沿ってＸ軸方向に向けて延在し、他方の端部が、上側の第２部分検出部ＲＡ２の端部ＲＡ２ａに接続されている。これにより、配線Ｕは、第１部分電極ＲｘＡと第２部分電極ＲｘＢとを、電気的に接続する。なお、第１部分電極ＲｘＡと第２部分電極ＲｘＢとを有する第２電極Ｒｘが複数ある場合、配線Ｕは、それらの第２電極Ｒｘのそれぞれに設けられる。この場合、配線Ｕ同士は、接続されず、また、配線Ｕは、自身が接続されている第２電極Ｒｘ以外の第２電極Ｒｘにも、接続されない。なお、図７の例では、第１部分検出部ＲＡ１の端部ＲＡ１ａと、第２部分検出部ＲＡ２の端部ＲＡ２ａとは、領域ＡＲ内まで突出している。
【００５７】
配線Ｕは、導電性を有する線、ここでは金属線であり、さらに言えば、材料がアルミニウム、アルミニウム合金、銅、銅合金等の何れか配線である。なお、配線Ｕは、単層でも複数層でもよい。また、配線Ｕは第２電極Ｒｘと同一材料で形成されてもよい。配線Ｕは、第２電極Ｒｘを構成する金属線ＭＴの外径よりも、外径が大きくなっている。配線ＵのＺ方向から見た幅Ｌ２（外径）は、例えば１０μｍ以上５０μｍ以下であり、より具体的には、３０μｍ前後である。なお、配線Ｕの幅Ｌ２は、第２電極Ｒｘの方向Ｙにおける長さＬ６より小さい。第２電極Ｒｘの方向Ｙにおける長さＬ６は、例えば、３ｍｍ以上、５ｍｍ以下であり、より具体的には４ｍｍ前後である。さらに言えば、配線Ｕの幅Ｌ２は、第１部分電極ＲｘＡ及び第２部分電極ＲｘＢの方向Ｙにおける長さＬ５（すなわち検出部ＲＡの方向Ｙにおける長さ）より、短い。検出部ＲＡのＹ方向における長さＬ５は、例えば、２００μｍ以上４００μｍ以下であり、より具体的には３００μｍ前後である。Ｚ方向から見た配線Ｕの幅Ｌ２は、Ｚ方向から見た金属線ＭＴの幅Ｌ１よりも、大きい。従って、配線Ｕの長手方向に直交する断面の面積（断面積）は、金属線ＭＴの長手方向に直交する断面の面積（断面積）より、大きい。
【００５８】
また、領域ＡＲ内には、配線ＵＡも設けられている。配線ＵＡは、領域ＡＲ内において、配線Ｕよりも外側に設けられている。すなわち、配線ＵＡは、切欠き領域Ｔと配線Ｕとの間に設けられている。配線ＵＡは、配線Ｕに沿って、すなわち切欠き領域Ｔの外周に沿って延在している。配線ＵＡは、配線Ｕと同様の金属線である。ただし、配線ＵＡは、表示領域Ｓ内の導電性の部材（ここでは配線Ｕ、第１電極Ｔｘ、及び第２電極Ｒｘ）に接続されていない。
【００５９】
配線ＵＡは、第１部分配線Ｗ３Ａと第２部分配線Ｗ３Ｂを接続する配線であり、第１部分配線Ｗ３Ａと第２部分配線Ｗ３ＢとのＺ軸方向から見た幅Ｌ３は、配線ＵＡのＺ軸方向から見た幅Ｌ４より大きい。幅Ｌ３は第３配線Ｗ３の幅であって、例えば、３００μｍ以上５００μｍ以下であり、より具体的には４００μｍ前後である。一方で、配線ＵＡの幅Ｌ４は、例えば、１０μｍ以上５０μｍ以下であり、より具体的には、３０μｍ前後である。言い換えると、配線ＵＡの幅Ｌ４と配線Ｕの幅Ｌ２は、同等の幅を有する。また、第３配線Ｗ３は、第２電極Ｒｘと同様に、メッシュ状の金属線からなり、第３配線Ｗ３の金属線の幅Ｌ７は、例えば、１μｍ以上１０μｍ以下であり、より具体的には５μｍ前後である。言い換えると、第３配線Ｗ３の金属線の幅Ｌ７と第２電極Ｒｘの金属線ＭＴの幅Ｌ１は、同等の幅を有する。
【００６０】
表示パネル１０は、以上のような構造となっている。このように、表示パネル１０は、切欠き領域Ｔが設けられている。切欠き領域Ｔには、表示パネル１０以外の機器、例えばセンサやカメラやボタンなどが設けられる。ここで、表示パネル１０は、表示領域Ｓにおける検出対象物のタッチ（近接）を、表示領域Ｓに設けられた第１電極Ｔｘと第２電極Ｒｘとの間の電界、さらに言えば、第１電極Ｔｘと第２電極Ｒｘとの間の電圧の差分値｜ΔＶ｜によって、検出している。しかし、切欠き領域Ｔには、第１電極Ｔｘと第２電極Ｒｘとが設けられないため、切欠き領域Ｔに検出対象物がタッチされても、第１電極Ｔｘと第２電極Ｒｘとの間の電圧の差分値｜ΔＶ｜は小さいままとなり、切欠き領域Ｔへのタッチ（近接）検出は、困難となる。それに対し、本実施形態に係る表示パネル１０は、配線Ｕが設けられている。第１電極Ｔｘに電圧（上述の検出駆動信号Ｖｃｏｍｔ）が印加された場合、第１電極Ｔｘと配線Ｕとの間にも電界が発生する。ここで、配線Ｕは、切欠き領域Ｔに隣接する領域ＡＲに設けられているため、切欠き領域Ｔに検出対象物がタッチされた場合、配線Ｕが、検出電極として機能して、第１電極Ｔｘと配線Ｕとの間の電圧の差分値｜ΔＶ｜を適切に変化させることが可能である。すなわち、本実施形態の表示パネル１０によると、切欠き領域Ｔに別途センサを設けることなく、第１部分電極ＲｘＡと第２部分電極ＲｘＢとを接続する配線Ｕを設けることによって、切欠き領域Ｔへのタッチ検出を適切に行うことができる。以下、表示領域Ｓ及び切欠き領域Ｔへのタッチ検出の方法の例について説明する。
【００６１】
（タッチ検出について）
図８は、本実施形態に係る検出部の模式的なブロック図である。図８に示すように、検出部４０は、信号増幅部４２と、ＡＤ変換部４３と、信号処理部４４と、座標抽出部４５と、検出タイミング制御部４７とを有する。信号増幅部４２と、ＡＤ変換部４３と、信号処理部４４と、座標抽出部４５と、検出タイミング制御部４７とは、それぞれ別々の回路であってもよい。また、検出部４０が演算装置としてＣＰＵ（Ｃｅｎｔｒａｌ  Ｐｒｏｃｅｓｓｉｎｇ  Ｕｎｉｔ）を備えた装置であってもよい。この場合、例えば、信号処理部４４と、座標抽出部４５とは、例えば表示装置１の記憶部（メモリ）に記憶されたソフトウェア（プログラム）を読み出されることにより実現され、ＣＰＵによって演算を実行することで、後述するそれぞれの処理を行ってもよい。
【００６２】
信号増幅部４２は、第２電極Ｒｘから出力された検出信号Ｖｄｅｔを検出して増幅する回路である。具体的には、信号増幅部４２は、第２電極Ｒｘに流れる電流を積分して電圧である検出信号Ｖｄｅｔに変換する。なお、信号増幅部４２によって検出された検出信号Ｖｄｅｔは、必ず増幅されなければならないわけではなく、必要がなければ増幅されなくてもよい。
【００６３】
ＡＤ変換部４３は、信号増幅部４２から出力されるアナログ信号をそれぞれサンプリングしてデジタル信号に変換する回路である。なお、検出部４０は、信号増幅部４２から出力されたアナログ信号をＡＤ変換部４３に対してデジタル信号に変換させるものとしているが、これに限定されるものではない。すなわち、検出部４０は、ＡＤ変換部４３の機能に相当するＡ／Ｄ変換後のデジタル信号に対して、信号増幅部４２の機能に相当する低域通過デジタルフィルタ処理を実行させるものとしてもよい。
【００６４】
信号処理部４４は、タッチ検出期間において、ＡＤ変換部４３から出力された信号に基づいて、タッチ検出の有無を判定すると共に、入力したＡＤ変換部４３からの信号を座標抽出部４５に出力する回路である。なお、後述する通り、切欠き領域Ｔへのタッチ検出がなされた場合、座標抽出部４５によってタッチされた箇所の座標計算を行うことなく、切欠き領域Ｔにタッチされた旨の情報を、出力信号として出力する。
【００６５】
座標抽出部４５は、信号処理部４４によってタッチ検出された場合に、信号処理部４４から入力したデジタル信号に基づいて、タッチされた箇所の座標を算出し、算出した座標の情報を、出力信号として出力する。
【００６６】
検出タイミング制御部４７は、検出部４０を構成する各回路が同期して動作するように制御する。
【００６７】
ここで、画像表示とタッチ検出との全体的な流れについて説明する。図９は、本実施形態に係るタッチ検出の一例を説明するためのタイミングチャートである。本実施形態においては、画像表示とタッチ検出とを時分割で行う。すなわち、表示装置１は、画像表示期間（図９ではＤｉｓｐｌａｙ）と、タッチ検出期間（図９ではＴｏｕｃｈ）とを交互に設ける。制御部１１は、外部から入力された映像信号Ｖｄｉｓｐに基づいて、ゲートドライバ１２、ソースドライバ１３、電極ドライバ１４、及び検出部４０に対してそれぞれ制御信号を出力し、これらが互いに同期して動作するように制御する。
【００６８】
ゲートドライバ１２は、画像表示期間において、液晶表示パネル２０の所定の本数の走査信号線ＧＣＬに走査信号Ｖｓｃａｎ（図９では記載を省略）を出力し、画素Ｐｉｘのラインを順次選択する。また、ソースドライバ１３は、画像表示期間において、ゲートドライバ１２によって選択されたラインの各画素Ｐｉｘに、画素信号線ＳＧＬを介して画素信号Ｖｐｉｘ（図９では記載を省略）を出力する。そして、電極ドライバ１４は、画像表示期間において、ゲートドライバ１２によって選択されたラインに対応する所定本数の第１電極Ｔｘに、表示駆動信号Ｖｃｏｍｄ（図９では記載を省略）を印加する。表示装置１は、このようにして、画像表示期間において、画像を表示する。
【００６９】
また、電極ドライバ１４は、タッチ検出期間において、所定本数（図９では２本又は３本）の第１電極Ｔｘに、順次、検出駆動信号Ｖｃｏｍｔを印加することによって、タッチ検出される第１電極Ｔｘを順次選択する。この検出駆動信号Ｖｃｏｍｔにより、第１電極Ｔｘと第２電極Ｒｘとの間には、電界が生じる。すなわち、第２電極Ｒｘは、第１電極Ｔｘに印加された検出駆動信号Ｖｃｏｍｔによって、検出信号Ｖｄｅｔを発生させる。信号増幅部４２は、第２電極Ｒｘからの検出信号Ｖｄｅｔを検出して増幅し、ＡＤ変換部４３は、信号増幅部４２から出力される検出信号Ｖｄｅｔのアナログ信号を、デジタル信号に変換する。信号処理部４４は、ＡＤ変換部４３から出力されたデジタル信号、すなわち電圧値に基づいて、タッチ検出の有無を判定する。座標抽出部４５は、信号処理部４４によってタッチ検出された場合に、信号処理部４４から入力されたデジタル信号に基づいて、タッチされた箇所の座標を算出し、算出した座標の情報を、出力信号として出力する。検出タイミング制御部４７は、信号増幅部４２、ＡＤ変換部４３、信号処理部４４、及び座標抽出部４５が同期して動作するように制御する。
【００７０】
画像表示とタッチ検出との全体的な流れは、以上となる。次に、本実施形態に係る検出部４０によるタッチ検出の詳細な方法について説明する。
【００７１】
検出部４０の信号処理部４４は、上述のように、第２電極Ｒｘからの検出信号Ｖｄｅｔに基づき、タッチ検出の有無を判断する。具体的には、信号処理部４４は、検出信号Ｖｄｅｔに基づき、波形Ｖ０と波形Ｖ１との電圧差分ΔＶの絶対値である差分値｜ΔＶ｜を取得する。言い換えれば、差分値｜ΔＶ｜は、第２電極Ｒｘから検出した検出信号Ｖｄｅｔの電圧値（波形Ｖ１に対応）と、タッチされなかった場合に第２電極Ｒｘから検出される電圧値として予め設定された基準値（波形Ｖ０に対応）との差分であると言える。すなわち、差分値｜ΔＶ｜は、第２電極Ｒｘから検出した電圧値と基準値との差分であると言える。信号処理部４４は、この差分値｜ΔＶ｜が所定の閾値以上である場合に、タッチがある（容量変化がある）と検出する。以下、第２電極Ｒｘから検出した検出信号Ｖｄｅｔの電圧値を、単に電圧値と記載する。
【００７２】
より詳しくは、信号処理部４４は、タッチがあると検出した場合に、表示領域Ｓと切欠き領域Ｔとのいずれにタッチされたかを判断する。信号処理部４４は、差分値｜ΔＶ｜が閾値以上であるとされた電圧値が、第１電極Ｔｘと第２電極Ｒｘとの間に生じた電圧、すなわち第１電圧である場合に、表示領域Ｓにタッチされたと判断する。また、信号処理部４４は、差分値｜ΔＶ｜が閾値以上であるとされた電圧値が、第１電極Ｔｘと配線Ｕとの間に生じた電圧、すなわち第２電圧である場合に、切欠き領域Ｔにタッチされたと判断する。
【００７３】
電圧値が第１電圧であるか第２電圧であるかの判断は、次のようにして行う。以下、説明の便宜のために、Ｘ軸方向において切欠き領域Ｔと位置が重畳する第１電極Ｔｘ（例えば図７に示す第１電極Ｔｘ９から第１電極Ｔｘ１１のいずれか）を、重畳第１電極ＴｘＯと記載し、Ｙ軸方向において切欠き領域Ｔと位置が重畳する第２電極Ｒｘ（例えば図７に示す第２電極Ｒｘ１）を、重畳第２電極ＲｘＯと記載する。重畳第１電極ＴｘＯと重畳第２電極ＲｘＯとが重畳するはずの箇所は、切欠き領域Ｔとなるため、重畳第１電極ＴｘＯと重畳第２電極ＲｘＯとは、実際には重畳していない。従って、通常であれば、重畳第１電極ＴｘＯと重畳第２電極ＲｘＯとの間には、タッチがあるとされる電圧、すなわち差分値｜ΔＶ｜が閾値以上の電圧が発生しない。一方、重畳第１電極ＴｘＯは、配線Ｕに近い位置に設けられているため、配線Ｕとの間に、電界（電圧）を発生させる。さらに言えば、配線Ｕは切欠き領域Ｔの近傍に設けられているため、切欠き領域Ｔがタッチされた場合、第１電極Ｔｘと配線Ｕとの間には、タッチがあるとされる電圧、すなわち差分値｜ΔＶ｜が閾値以上の電圧が発生する。また、配線Ｕは重畳第２電極ＲｘＯに接続されているため、第１電極Ｔｘと配線Ｕとの間の電圧によって配線Ｕに生じた電流は、重畳第２電極ＲｘＯに流れる。従って、第１電極Ｔｘと配線Ｕとの間の電圧は、重畳第１電極ＴｘＯと重畳第２電極ＲｘＯとの間の電圧値として、検出部４０に検出される。従って、検出部４０の信号処理部４４は、重畳第１電極ＴｘＯと重畳第２電極ＲｘＯとの間の電圧が検出された場合、その電圧を、第２電圧である、すなわち第１電極Ｔｘと配線Ｕとの間の電圧である、と判断する。具体的には、信号処理部４４は、重畳第１電極ＴｘＯに検出駆動信号Ｖｃｏｍｔを印加しているタイミングで、重畳第２電極ＲｘＯからの電圧値が検出された場合に、その電圧値を第２電圧であると判断する。一方、信号処理部４４は、重畳第１電極ＴｘＯと重畳第２電極ＲｘＯとの組み合わせ以外の、第１電極Ｔｘと第２電極Ｒｘとの間に発生した電圧を、第１電圧であると判断する。
【００７４】
検出部４０は、タッチがあると検出された場合の電圧値（差分値｜ΔＶ｜が閾値以上の電圧値）が第２電圧である場合、切欠き領域Ｔにタッチされたと判断して、切欠き領域Ｔにタッチされた旨の情報を、出力信号として出力する。すなわち、検出部４０は、第１電圧である場合には、座標抽出部４５によってタッチされた箇所の座標計算を行うことなく、切欠き領域Ｔにタッチされた旨の情報を、出力信号として出力する。表示装置１は、切欠き領域Ｔがタッチされた旨の情報を含んだ出力信号に基づき、所定の処理を実行してよい。所定の処理は、切欠き領域Ｔがタッチされた場合に実行すると予め設定されていた処理であれば、任意の処理であってよい。所定の処理としては、例えば、所定のアプリケーションを起動したりするものが挙げられる。
【００７５】
一方、検出部４０は、タッチがあると検出された場合の電圧値が第１電圧である場合、表示領域Ｓにタッチされたと判断する。検出部４０は、表示領域Ｓにタッチされたと判断した場合、座標抽出部４５により、タッチされた箇所の座標計算を行う。そして、座標抽出部４５は、算出したタッチされた箇所の座標の算出結果を、出力信号として出力する。座標抽出部４５は、表示領域Ｓにタッチされたと判断された場合、すなわち電圧値が第１電圧であると判断された場合、複数の第２電極Ｒｘから検出された電圧値に基づき、タッチされた箇所の座標計算を行う。言い換えれば、検出部４０は、１つの第１電極Ｔｘと１つの第２電極Ｒｘとの間の電圧値（ここでは第１電圧）を、第１電極Ｔｘと第２電極Ｒｘとの組み合わせのそれぞれについて、検出している。そして、座標抽出部４５は、検出したそれぞれの電圧値（ここでは第１電圧）に基づき、表示領域Ｓ内で近接された箇所の座標を算出していると言える。言い換えれば、検出部４０は、切欠き領域Ｔのタッチ検出においては、重畳第１電極ＴｘＯと重畳第２電極ＲｘＯとの電圧値にのみ基づいて検出を行っていたが、表示領域Ｓのタッチ検出においては、第１電極Ｔｘと第２電極Ｒｘとの複数の組み合わせの電圧値に基づき、検出を行う。
【００７６】
図１０は、タッチ検出箇所の座標計算の一例を示すグラフである。ここで、電圧値（差分値｜ΔＶ｜）が検出される１つの第１電極Ｔｘと１つの第２電極Ｒｘとの組み合わせを、電極対と記載する。そして、差分値｜ΔＶ｜が閾値以上となる電圧値の電極対を、タッチ（近接）が検出された電極の対であるとして、近接電極対と記載する。座標抽出部４５は、例えば、複数の近接電極対同士の距離と、それぞれの近接電極対の電圧値とに基づき、表示領域Ｓ内でのタッチ検出された座標を算出する。図１０は、閾値Ｖｔｈを超えた電圧値Ｖａ、Ｖｂ、Ｖｃが検出された、３つの隣接する近接電極対を例とする。例えば、座標抽出部４５は、電圧値Ｖａとなった近接電極対の中心位置Ｃａと、電圧値Ｖｂとなった近接電極対の中心位置Ｃｂと、電圧値Ｖｃとなった近接電極対の中心位置Ｃｃとを算出する。中心位置Ｃａ、Ｃｂ、Ｃｃは、予め記憶されていたものを座標抽出部４５が読み出したものであってもよい。そして、座標抽出部４５は、中心位置Ｃａ、Ｃｂ、Ｃｃと、電圧値Ｖａ、Ｖｂ、Ｖｃと、に基づき、表示領域Ｓ内でのタッチ検出された座標位置Ｃｏを算出する。例えば、座標抽出部４５は、電圧値が高い重心位置ほど重み付けが大きくなるように、中心位置Ｃａ、Ｃｂ、Ｃｃを、それぞれの電圧値Ｖａ、Ｖｂ、Ｖｃで重み付けを行う。そして、座標抽出部４５は、重み付けしたそれぞれの中心位置の重心位置を、座標位置Ｃｏとして算出する。すなわち、図１０の例では、電圧値Ｖａ、Ｖｃ、Ｖｂの順で電圧値が高くなっているため、中心位置Ｃａ、Ｃｃ、Ｃｂの順に重み付けが大きくなる。従って、図１０の例では、中心位置ＣｂとＣｃとの間の位置が、重心位置である座標位置Ｃｏとなっている。ただし、タッチ検出箇所の座標計算の方法は、これに限られない。
【００７７】
次に、上記で説明した検出部４０によるタッチ検出のフローについて説明する。図１１は、タッチ検出について説明するフローチャートである。図１１に示すように、検出部４０は、第２電極Ｒｘからの電圧値を取得する（ステップＳ１０）。すなわち、検出部４０は、タッチ検出期間において、第１電極Ｔｘに印加された検出駆動信号Ｖｃｏｍｔにより第２電極Ｒｘに生じた検出信号Ｖｄｅｔを、電圧値として取得する。そして、検出部４０は、信号処理部４４により、検出した電圧値と基準値との差分値｜ΔＶ｜が閾値以上であるかを判断する（ステップＳ１２）。検出部４０の信号処理部４４は、差分値｜ΔＶ｜が閾値以上である場合（ステップＳ１２；Ｙｅｓ）、タッチがあったと検出する（ステップＳ１４）。検出部４０の信号処理部４４は、差分値｜ΔＶ｜が閾値以上でない場合（ステップＳ１２；Ｎｏ）、すなわち閾値より小さい場合は、タッチがなかったと判断して、後述のステップＳ２２に進む。
【００７８】
タッチがあったと検出した場合、検出部４０の信号処理部４４は、タッチがあったと検出した電圧値が、第１電圧であるかを判断する（ステップＳ１６）。信号処理部４４は、タッチがあったと検出した電圧値が、重畳第１電極ＴｘＯと重畳第２電極ＲｘＯとの組み合わせ以外の、第１電極Ｔｘと第２電極Ｒｘとの間に発生した電圧である場合、その電圧値が第１電圧であると判断する。一方、信号処理部４４は、タッチがあったと検出した電圧値が、重畳第１電極ＴｘＯと重畳第２電極ＲｘＯとの間に発生した電圧である場合、その電圧値が第１電圧でない、すなわち第２電圧である、と判断する。
【００７９】
検出部４０は、第１電圧であると判断した場合（ステップＳ１６；Ｙｅｓ）、表示領域Ｓにタッチされたと判断し、座標抽出部４５により、表示領域Ｓ内でのタッチされた箇所の座標算出を行う（ステップＳ１８）。そして、検出部４０は、座標算出の結果を、出力信号として出力する。一方、検出部４０は、第１電圧でないと判断した場合（ステップＳ１６；Ｎｏ）、すなわち第２電圧であると判断した場合、切欠き領域Ｔにタッチされたと判断する（ステップＳ２０）。そして、検出部４０は、切欠き領域Ｔにタッチされた旨の情報を、出力信号として出力する。ステップＳ１８、Ｓ２０の後は、ステップＳ２２に進み、処理を終了しない場合（ステップＳ２２；Ｎｏ）、ステップＳ１０に戻り、処理を終了する場合（ステップＳ２２；Ｙｅｓ）、本処理を終了する。
【００８０】
なお、上記のフローでは、第１電圧であるかの判断の前に、電圧値が閾値以上であるかの判断を行っており、言い換えれば、表示領域Ｓであるか切欠き領域Ｔであるかの判断の前に、タッチ検出の判断を行っている。ただし、検出部４０は、検出した電圧値が、表示領域Ｓに属した第２電極Ｒｘのものであるか（第１電圧であるか）、切欠き領域Ｔに属した配線Ｕ、すなわち重畳第２電極ＲｘＯのものであるか（第２電圧であるか）を、電圧値が閾値以上であるかの判断の前に行ってもよい。このように先に第１電圧であるか第２電圧であるかの判断を行うことで、例えば、タッチ検出がされたかの判断基準を、第１電圧と第２電圧とで、すなわち表示領域Ｓと切欠き領域Ｔとで、変えることができる。この場合、検出部４０は、例えば、第２電圧において近接があったと検出する場合の判断基準を、第１電圧において近接があったと検出する場合の判断基準よりも、低くする。これにより、切欠き領域Ｔの近接検出を、高精度に行うことができる。判断基準としては、例えば、差分値｜ΔＶ｜が閾値以上であるかを判断する場合の、閾値である。この場合、検出部４０は、第１電圧の閾値と第２電圧の閾値とを異ならせ、より好ましくは、第２電圧の閾値を第１電圧の閾値より小さくする。また、第２電圧である場合、第２電圧の電圧値に、１より大きい補正係数を乗じることで、閾値が一定であっても、判断基準を変えることができる。判断基準は、これらに限られない。
【００８１】
以上説明したように、本実施形態に係る表示装置１は、外周の一部が切欠かれた形状の表示領域Ｓを有するものであって、言い換えれば、外周の一部に凹部を有する表示領域Ｓを有する第１基板ＳＵＢ１と、第１電極Ｔｘと、第２電極Ｒｘと、配線Ｕとを有する。第１電極Ｔｘは、表示領域Ｓ内に設けられた複数の電極である。第２電極Ｒｘは、第１電極Ｔｘと対向して表示領域Ｓ内に設けられ、第１電極Ｔｘとの間に形成された電界により表示領域への近接検出（タッチ検出）が可能なように構成される。また、複数の第１電極Ｔｘのうちの一部の第１電極Ｔｘは、表示領域Ｓの切り欠かれた領域（凹部）を占める切欠き領域Ｔの外周Ｔａに沿った形状である。また、複数の第２電極Ｒｘのうちの一部の第２電極Ｒｘは、第１部分電極ＲｘＡと、切欠き領域Ｔを挟んで第１部分電極ＲｘＡと離間して設けられた第２部分電極ＲｘＢとを有する。配線Ｕは、切欠き領域Ｔの外周Ｔａに沿って延在して第１部分電極ＲｘＡと第２部分電極ＲｘＢとを接続し、第１電極Ｔｘとの間に形成された電界により切欠き領域Ｔ（凹部）への近接検出が可能なように構成される。
【００８２】
表示領域Ｓに切り欠かれた部分を設ける場合、切り欠かれた部分である切欠き領域Ｔには、近接検出用の第１電極Ｔｘと第２電極Ｒｘとが重畳されない。従って、切欠き領域Ｔの近接を検出することが困難となる。それに対し、本実施形態に係る表示装置１は、切欠き領域Ｔの外周Ｔａに沿って延在して第１部分電極ＲｘＡと第２部分電極ＲｘＢとを接続する配線Ｕを設けている。従って、この表示装置１は、この配線Ｕと第１電極Ｔｘとの間の電位差を利用して、切欠き領域Ｔへの近接を行うことができる。従って、この表示装置１によると、切欠き領域Ｔへの近接検出を適切に行うことが可能となる。また、例えば切欠き領域Ｔに、第１電極Ｔｘや第２電極Ｒｘなど以外の別のセンサを設けて、近接検出を行うことも考えられる。しかし、この場合、別のセンサを設ける必要があるのに対し、本実施形態に係る表示装置１は、第２電極Ｒｘに接続する配線Ｕを設けるだけで、切欠き領域Ｔへの近接検出が可能となる。さらに、配線Ｕからの近接検出のための電流は、第２電極Ｒｘに流れる。従って、切欠き領域Ｔの近接検出をする場合でも、表示領域Ｓの近接検出と同様に、第２電極Ｒｘからの信号値（電圧値）を検出すればよいので、近接検出処理も容易となる。
【００８３】
また、配線Ｕは、表示領域Ｓの外側に設けられる。この配線Ｕは、表示領域Ｓの外側に設けられることで、切欠き領域Ｔに近い位置に配置されることとなるため、切欠き領域Ｔの近接検出を高精度に行うことが可能となる。
【００８４】
また、第２電極Ｒｘは、複数の金属線ＭＴによって構成されており、配線Ｕの幅は、金属線ＭＴの幅より大きい。この表示装置１は、表示領域Ｓ内の第２電極Ｒｘを複数の金属線ＭＴにすることにより、画像の視認性の低下を抑制することができる。さらに、配線Ｕの幅を金属線ＭＴの幅より大きくすることで、配線Ｕの電気抵抗を小さくし、切欠き領域Ｔの近接検出の制度低下を抑制することができる。
【００８５】
また、第１電極Ｔｘは、第１方向（Ｙ軸方向）に延在し、第１方向と交差する第２方向（Ｘ軸方向）に沿って並んでいる。第２電極Ｒｘは、第２方向における両端の少なくとも一方に設けられた接続部ＲＢと、接続部ＲＢから第２方向に延在する検出部ＲＡと、を有して、第１方向に並んでいる。この表示装置１は、互いに直交する方向に並ぶ複数の帯状の第１電極Ｔｘと第２電極Ｒｘとを有することで、近接検出を適切に行うことができる。
【００８６】
また、表示装置１は、第１電極Ｔｘと第２電極Ｒｘとの間の電界によって生じた第１電圧と、第１電極Ｔｘと配線Ｕとの間の電界によって生じた第２電圧と、を検出する検出部４０を有する。検出部４０は、１つの第１電極Ｔｘと１つの第２電極Ｒｘとの間の第１電圧を、第１電極Ｔｘと第２電極Ｒｘとの組み合わせ（電極対）のそれぞれについて検出し、検出したそれぞれの第１電圧に基づき、表示領域Ｓ内で近接された箇所の座標を算出する。また、検出部４０は、第２電圧を検出した場合に、切欠き領域Ｔへの近接があったと検出する。この表示装置１は、第２電圧を検出した場合には、座標算出を行うことなく、切欠き領域Ｔに近接があったと判断するのに対し、第１電圧を検出した場合に、表示領域Ｓのどの位置に近接があったかを、座標算出によって算出する。従って、この表示装置１によると、近接位置がある程度定まっている切欠き領域Ｔの近接検出を、容易かつ早く行いつつ、近接位置の候補が多い表示領域Ｓについては、座標算出を行うことで、高精度に近接位置の座標検出をすることができる。ただし、検出部４０は、例えば配線Ｕとの間での近接検出を行う重畳第１電極ＴｘＯが複数あったり、配線Ｕが複数あったりする場合、重畳第１電極ＴｘＯと配線Ｕとの複数の組み合わせの電圧値に基づき、表示領域Ｓでの方法と同様の方法で、座標検出を行ってもよい。
【００８７】
また、検出部４０は、第１電圧と所定の基準値との差分が所定の閾値以上となる第１電極Ｔｘと第２電極Ｒｘとの組み合わせを、近接電極対として検出する。検出部４０は、検出した複数の近接電極対の間の距離と、それぞれの近接電極対の差分（電圧値）とに基づき、表示領域Ｓ内で近接された箇所の座標を算出する。一方、検出部４０は、第２電圧と所定の基準値との差分が所定の閾値以上となった場合に、切欠き領域Ｔへの近接があったと検出し、検出結果を出力する。この検出部４０は、このように複数の近接電極対の距離と電圧値とに基づき、表示領域Ｓ内の近接座標を検出するため、高精度に近接検出することができる。
【００８８】
また、検出部４０は、近接検出されたかの判断基準を、第１電圧と第２電圧とで異ならせてもよい。このように、表示領域Ｓと切欠き領域Ｔとで、近接検出の判断基準を変えることで、特に切欠き領域Ｔの近接検出を適切に行うことが可能になる。
【００８９】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００９０】
１  表示装置
１０  表示パネル
２０  液晶表示パネル
３０  タッチ検出パネル
４０  検出部
ＡＲ  領域
Ｒｘ  第２電極
ＲｘＡ  第１部分電極
ＲｘＢ  第２部分電極
Ｓ  表示領域
ＳＵＢ１  第１基板
ＳＵＢ２  第２基板
Ｔ  切欠き領域
Ｔａ  外周
Ｔｘ  第１電極
Ｕ  配線
【図１】
2019211933.tif 000003
【図２】
2019211933.tif 000004
【図３】
2019211933.tif 000005
【図４】
2019211933.tif 000006
【図５】
2019211933.tif 000007
【図６】
2019211933.tif 000008
【図７】
2019211933.tif 000009
【図８】
2019211933.tif 000010
【図９】
2019211933.tif 000011
【図１０】
2019211933.tif 000012
【図１１】
2019211933.tif 000013